(57)【要約】【課題】緻密な環境情報を容易に得ることができるようにする。【解決手段】センサ付携帯電話端末は、所定時間毎にセンサ値（ステップＳＡ２）及び現在位置を検出し（ステップＳＡ３）、サーバーに送信する（ステップＳＡ４）。サーバーは、送信データを受信し（ステップＳＢ１）、端末位置情報ＤＢデータ記憶・更新処理（ステップＳＢ２）、センサ計測情報ＤＢデータ記憶・更新処理（ステップＳＢ３）、表示データ生成処理を行い（ステップＳＢ５）、携帯電話端末の表示部に表示させるための表示データを生成する。携帯電話端末がサーバーに送信要求を行うと（ステップＳＣ２）、表示データが送信され、送信要求を行った携帯電話端末は、このサーバーから送信されてくる表示データを受信して（ステップＳＣ３）、表示部に表示させる（ステップＳＣ４）。これにより、表示部には、緻密な環境情報が表示されることとなる。【選択図】        図７
2004303125.tif 000002
【特許請求の範囲】
【請求項１】
送信装置と情報管理装置及び受信装置で構成される環境情報供給システムであって、
前記送信装置は携帯可能であって、
現在位置を検出する現在位置検出手段と、
周囲の環境状態を検出する環境状態検出手段と、
これら各検出手段により検出された現在位置情報と環境状態情報とを送信する送信手段とを備え、
前記情報管理装置は、
前記送信装置から送信される前記現在位置情報と環境状態情報とを受信する受信手段と、
この受信手段により受信された前記現在位置情報と環境状態情報とに基づき、当該位置における環境状態を示す位置環境情報を生成する情報生成手段と、
この情報生成手段により生成された位置環境情報を送信する送信手段とを備え、
前記受信装置は、
前記情報管理装置から送信される前記位置環境情報を受信する受信手段と、
この受信手段により受信された前記位置環境情報を表示させる表示制御手段とを備えることを特徴とする環境情報供給システム。
【請求項２】
前記送信装置は複数であり、
前記情報管理装置の受信手段は、前記複数の送信装置から送信される前記現在位置情報と環境状態情報とを受信し、前記情報生成手段は、この受信手段により受信された各現在位置情報と環境状態情報とに基づき、前記位置環境情報を生成することを特徴とする請求項１記載の環境情報供給システム。
【請求項３】
前記送信装置の送信手段は、所定時間毎に前記各検出手段により検出された現在位置情報と環境状態情報とを送信し、
前記情報管理装置の受信手段は、前記送信装置の送信手段から所定時間毎に送信される前記現在位置情報と環境状態情報とを受信し、前記情報生成手段は、この受信手段により受信された所定時間毎の現在位置情報と環境状態情報とに基づき、前記位置環境情報を生成することを特徴とする請求項１又は２記載の環境情報供給システム。
【請求項４】
前記送信装置と前記受信装置とが一体であることを特徴とする請求項１記載の環境情報供給システム。
【請求項５】
前記送信装置は、無線接続されたセンサ装置と送受信装置とで構成され、前記センサ装置に前記環境状態検出手段が設けられ、前記送受信装置に送信手段が設けられことを特徴とする請求項１記載の環境情報供給システム。
【請求項６】
前記環境状態検出手段は、大気中に浮遊する物質の量を検出するものであることを特徴とする請求項１から５にいずれか記載の環境情報供給システム。
【請求項７】
外部から送信されてくる現在位置情報と環境状態情報とを受信する受信手段と、
この受信手段により受信された前記現在位置情報と環境状態情報とに基づき、当該位置における環境状態を示す位置環境情報を生成する情報生成手段と、
この情報生成手段により生成された位置環境情報を外部に送信する送信手段とを備えることを特徴とする情報管理装置。
【請求項８】
携帯可能であって、
現在位置を検出する現在位置検出手段と、
周囲の環境状態を検出する環境状態検出手段と、
これら各検出手段により検出された現在位置情報と環境状態情報とを送信する送信手段と
を備えることを特徴とする環境情報送信装置。
【請求項９】
携帯可能であって、
現在位置を検出する現在位置検出手段と、
周囲の環境状態を検出する環境状態検出手段と、
これら各検出手段により検出された現在位置情報と環境状態情報とを送信する送信手段と、
情報管理装置から送信される当該位置における環境状態を示す位置環境情報を受信する受信手段と、
この受信手段により受信された前記位置環境情報を表示させる表示制御手段とを備えることを特徴とする環境情報送受信装置。
【発明の詳細な説明】
【０００１】
【発明の属する技術分野】
【０００２】
本発明は、大気中に浮遊する物質の量等の環境情報を供給する環境情報供給システム、このシステムに用いられる情報管理装置、環境情報送信装置及び環境情報送受信装置に関する  。
【０００３】
【発明の背景】
【０００４】
今日においては、天気予報番組で花粉情報が放送されたり、あるいは交差点等の特定地点に設けられた表示板にＮＯｘ濃度表示する等、種々の環境情報が提供されるに至っている（例えば、特許文献１参照。）。
【０００５】
【特許文献１】
特開２００２−３５１９２７号公報
【０００６】
【発明が解決しようとする課題】
【０００７】
しかしながら、天気予報番組で放送される花粉情報にあっては、関東地方等の広域における花粉情報であり、当該個人が行動しようとしているより小範囲内における花粉情報までも得られるものではない。また、特定地点に設けられた表示板にＮＯｘ濃度が表示されていても、当該地点に行かなければこれを視認することはできず、表示板の表示を視認しても当該地点以外のＮＯｘ濃度は知ることはできない。よって、緻密な環境情報を容易に得られるものではない。
【０００８】
本発明は、このような従来の課題に鑑みてなされたものであり、緻密な環境情報を容易に得ることができる環境情報供給システム、このシステムに用いられる情報管理装置、環境情報送信装置及び環境情報送受信装置を提供することを目的とするものである。
【０００９】
【課題を解決するための手段】
【００１０】
前記課題を解決するために請求項１に係る発明にあっては、送信装置と情報管理装置及び受信装置で構成される環境情報供給システムであって、前記送信装置は携帯可能であって、現在位置を検出する現在位置検出手段と、周囲の環境状態を検出する環境状態検出手段と、これら各検出手段により検出された現在位置情報と環境状態情報とを送信する送信手段とを備え、前記情報管理装置は、前記送信装置から送信される前記現在位置情報と環境状態情報とを受信する受信手段と、この受信手段により受信された前記現在位置情報と環境状態情報とに基づき、当該位置における環境状態を示す位置環境情報を生成する情報生成手段と、この情報生成手段により生成された位置環境情報を送信する送信手段とを備え、前記受信装置は、前記情報管理装置から送信される前記位置環境情報を受信する受信手段と、この受信手段により受信された前記位置環境情報を表示させる表示制御手段とを備える。
【００１１】
すなわち、このシステムに賛同する協力者は、送信装置を携帯して外出する。すると、外出先において送信装置により現在位置と周囲の環境状態とが検出されて、これら検出された現在位置情報と環境状態情報とが情報管理装置に送信される。情報管理装置は、これを受信して現在位置情報と環境状態情報とに基づき、当該位置における環境状態を示す位置環境情報を生成して送信する。受信装置は、情報管理装置から送信される位置環境情報を受信して表示させる。したがって、この受信装置のユーザーは、前記協力者の外出先における現在位置の環境情報である緻密な環境情報を容易に得ることができる。
【００１２】
また、請求項２に係る発明にあっては、前記送信装置は複数であり、前記情報管理装置の受信手段は、前記複数の送信装置から送信される前記現在位置情報と環境状態情報とを受信し、前記情報生成手段は、この受信手段により受信された各現在位置情報と環境状態情報とに基づき、前記位置環境情報を生成する。したがって、前記受信装置のユーザーは、複数の協力者の外出先における現在位置の環境情報を容易に得ることができる。
【００１３】
また、請求項３に係る発明にあっては、前記送信装置の送信手段は、所定時間毎に前記各検出手段により検出された現在位置情報と環境状態情報とを送信し、前記情報管理装置の受信手段は、前記送信装置の送信手段から所定時間毎に送信される前記現在位置情報と環境状態情報とを受信し、前記情報生成手段は、この受信手段により受信された所定時間毎の現在位置情報と環境状態情報とに基づき、前記位置環境情報を生成する。したがって、前記受信装置のユーザーは、協力者の外出先における現在位置である緻密な環境情報であって所定時間毎の環境情報を容易に得ることができる。
【００１４】
また、請求項４に係る発明にあっては、前記送信装置と前記受信装置とが一体である。したがって、前記協力者は送信装置と受信装置とが一体となった装置を携帯して外出することにより、各協力者が他の協力者の外出先における現在位置の環境情報である緻密な環境情報を容易に得ることができる。
【００１５】
また、請求項５に係る発明にあっては、前記送信装置は、無線接続されたセンサ装置と送受信装置とで構成され、前記センサ装置に前記環境状態検出手段が設けられ、前記送受信装置に送信手段が設けられている。したがって、環境情報はセンサ装置から送受信装置に送信された後、該送受信装置から情報管理装置に送信される。
【００１６】
また、請求項６に係る発明にあっては、前記環境状態検出手段は、大気中に浮遊する物質の量を検出するものである。したがって、受信装置のユーザーは、前記協力者の外出先における現在位置である緻密な、花粉情報等を容易に得ることができる。
【００１７】
また、請求項７の発明に係る情報管理装置にあっては、外部から送信されてくる現在位置情報と環境状態情報とを受信する受信手段と、この受信手段により受信された前記現在位置情報と環境状態情報とに基づき、当該位置における環境状態を示す位置環境情報を生成する情報生成手段と、この情報生成手段により生成された位置環境情報を外部に送信する送信手段とを備える。したがって、この情報管理装置を用いることにより、前記環境情報供給システムを容易に構築することができる。
【００１８】
また、請求項８の発明に係る環境情報送信装置にあっては、携帯可能であって、現在位置を検出する現在位置検出手段と、周囲の環境状態を検出する環境状態検出手段と、これら各検出手段により検出された現在位置情報と環境状態情報とを送信する送信手段とを備える。したがって、この環境情報送信装置を用いることにより、前記環境情報供給システムを容易に構築することができる。
【００１９】
また、請求項９の発明に係る環境情報送受信装置にあっては、携帯可能であって、現在位置を検出する現在位置検出手段と、周囲の環境状態を検出する環境状態検出手段と、これら各検出手段により検出された現在位置情報と環境状態情報とを送信する送信手段と、情報管理装置から送信される当該位置における環境状態を示す位置環境情報を受信する受信手段と、この受信手段により受信された前記位置環境情報を表示させる表示制御手段とを備える。したがって、この環境情報送受信装置を用いることにより、前記環境情報供給システムを容易に構築することができる。
【００２０】
【発明の実施の形態】
【００２１】
以下、本発明の実施の形態を図に従って説明する。
【００２２】
（第１の実施の形態）
図１に示すように、本実施の形態に係る環境情報供給システムは、移動体通信網１に接続された無線基地局２、情報管理装置であるサーバー３を有するとともに、この移動体通信網１にゲートウェイ４を介して接続されたインターネット５を有している。無線基地局２は複数であって、各々所定の各地に設置され、センサ付携帯電話端末６又は一般携帯電話端末８と無線接続される。サーバー３は、認証／課金ソフト３０１、サーバーソフト３０２、センサデータ解析ソフト３０３、センサデータ集計ソフト３０４等に基づいて動作するコンピュータであって、加入者情報ＤＢ（Ｄａｔａ  Ｂａｓｅ）３１、課金情報ＤＢ３２、会員情報ＤＢ３３、提供情報コンテンツＤＢ３４、地図情報ＤＢ３５、センサ計測情報ＤＢ３６、端末位置情報ＤＢ３７が接続されている。また、インターネット５には、ＩＳＰ（Ｉｔｅｒｎｅｔ  Ｓｅｒｖｉｃｅ  Ｐｒｏｖｉｄｅｒ）９を介して、各家庭等に配置されたパソコン１０が接続される。
【００２３】
前記センサ付携帯電話端末６は、図２に示すように、電話端末本体６０１とこの電話端末本体６０１にケーブル７０１及びコネクタ７０２を介して接続された外部接続センサ装置７とで構成されている。電話端末本体６０１は、アンテナ６０２、ＬＣＤからなる表示部６０３、複数のキーを有する操作部６０４、及び前記コネクタ７０２と接続するレセプタクル６０５が設けられている。また、外部接続センサ装置７には、オン・オフスイッチ７１６が設けられているとともに、後述するセンサユニット７１９が着脱自在に設けられている。
【００２４】
図３は、前記センサ付携帯電話端末６の回路構成を示すブロック図である。前述のように、センサ付携帯電話端末６は、電話端末本体６０１と外部接続センサ装置７とで構成されている。外部接続センサ装置７には、周囲の環境状態を検出するセンサ７０３、このセンサ７０３を駆動するセンサ駆動回路７０４、センサ７０３からの信号を増幅するセンサＡＭＰ．７０５、この増幅された信号をＡ／Ｄ変換するＡ／Ｄ変換器７０６、及びこの変換されたデータを記憶するセンサ計測データメモリ７０７が設けられている。また、これらセンサ駆動回路７０４からセンサ計測データメモリ７０７までを制御するセンサ制御部７０８、通信相手となる外部機器（電話端末本体６０１）のＩＤを記憶する外部機器ＩＤ部７０９が設けられている。さらに外部接続センサ装置７には、電池７１０からの電源を各部に供給する電源制御部７１１、各部を制御する制御回路７１２が設けられているとともに、時計／タイマー７１３、ＲＯＭ７１４、ＲＡＭ７１５が設けられている。また、制御回路７１２には、前記オン・オフスイッチ７１６等を有する操作部７１７が接続されているとともに、入出力インターフェース７１８が接続され、この入出力インターフェース７１８が前記ケーブル７０１に接続されている。
【００２５】
なお、センサ７０３、センサ駆動回路７０４、センサＡＭＰ．７０５、センサ制御部７０８、外部機器ＩＤ部７０９は、脱着式カード等のセンサユニット７１９で構成され着脱自在である。よって、このセンサユニット７１９を交換することにより、後述するように外部接続センサ装置７のセンサ機能を自在に変化させることができる。
【００２６】
電話端末本体６０１は、前記無線基地局２と通信を行うための無線電話部６１１を備えている。この無線電話部６１１は、一般的な携帯電話と同様に、スピーカ６１３、マイクロフォン６１４、サウンダ６１５、音声処理部６１６、通信制御部６１７、前記アンテナ６０２に接続された送受信部６１８を有している。さらに、この電話端末本体６０１には、各部を制御する制御部６１９、前記操作部６０４と表示部６０３、端末ＩＤ／ＳＩＭ６４１、ＲＯＭ６４２、ＲＡＭ６４３が設けられているとともに、前記レセプタクル６０５に接続された外部機器接続入出力制御部６２１が設けられている。
【００２７】
さらに制御部６１９には、通信用共通データメモリ６４４、付加機能データメモリ６４５が接続されているとともに、第１〜第４付加機能ブロック６２２〜６２５が接続されている。通信用共通データメモリ６４４は、発着信履歴メモリ６２６、電話番号簿／メールアドレス帳６２７、及び端末／通信設定データ６２８、ユーザー設定データ６２９、端末状態データ６３０、通信状態データ６３１を各々記憶するエリア等で構成されている。付加機能データメモリ６４５は、メール送受信簿６２２、ＵＲＬブックマーク６３３、ブラウザ・キャッシュ６３４、画像／音楽データメモリ６３５、端末位置情報メモリ６３６、センサ計測情報メモリ６３７、ユーザー登録情報メモリ６３８等で構成されている。
【００２８】
また、第１付加機能ブロック６２２は、ＧＰＳアンテナ６３９を備えるＧＰＳ受信機等の測位／位置検出手段で構成され、第２付加機能ブロック６２３は、メールソフトに従って電子メールの送受信を行う。第３付加機能ブロック６２４は、ＷＷＷブラウザ機能を有し、第４付加機能ブロック６２５は、データ通信機能を有する。
【００２９】
前記加入者情報ＤＢ３１には、図４に示すように、加入者コード、端末ＩＤ（携帯電話端末の電話番号）、加入者名及び口座番号を記憶するエリアが設けられており、前記課金情報ＤＢ３２には、図５に示すように、加入者コード、端末ＩＤ、課金情報を記憶するエリアが設けられている。また、前記端末位置情報ＤＢ３７には、図６（ａ）に示すように、端末ＩＤ、無線基地局ＣＳＩＤ、端末位置情報（緯度，経度）を記憶するエリアが設けられており、前記センサ計測情報ＤＢ３６には、図６（ｂ）に示すように、会員コード、端末ＩＤ、会員情報（会員の氏名）、公開情報（会員の性別や年令）、センサデータを記憶するエリアが設けられている。
【００３０】
なお、一般携帯電話端末８の回路構成は、図３に示した電話端末本体６０１の回路構成と同様である。
【００３１】
また、前述したように外部接続センサ装置７において、センサ７０３、センサ駆動回路７０４、センサＡＭＰ．７０５、センサ制御部７０８、外部機器ＩＤ部７０９は、脱着式カード等のセンサユニット７１９で構成され着脱自在である。よって、このセンサユニット７１９を交換することにより、外部接続センサ装置７のセンサ機能を自在に変化させることができる。すなわち、センサユニット７１９を交換することにより、飛来花粉量センサ、排気ガスＮＯｘセンサ、空気汚染センサ等の空気中に存在する特定物質を検出するセンサ、気圧センサ、温度センサ、降雨量センサ、電磁波センサ等の機能を発生することができる。
【００３２】
以上の構成にかかる本実施の形態においてユーザーは、予め本システムを用いたサービスへの加入を行い、これにより加入者情報ＤＢ３１には、図４に示したように、加入者コード、端末ＩＤ（携帯電話端末の電話番号）、加入者名及び口座番号が記憶される。そして、加入したユーザーは、各々センサ付携帯電話端末６又は一般携帯電話端末８を携帯して外出する。なお、以下の説明においては、外部接続センサ装置７には空気中に存在する特定物質の濃度を検出する機能を有するセンサユニット７１９が装着されているものとする。
【００３３】
かかる状態において、センサ付携帯電話端末６の制御部６１９がプログラムに基づき制御を実行することにより、センサ付携帯電話端末６は図７（Ａ）のフローチャートに示すように動作する。すなわち、予め時計／タイマー７１３に設定されている所定時間が経過したか否かを判断する（ステップＳＡ１）。そして、所定時間が経過したならばこれに伴って動作する外部接続センサ装置７から出力されるセンサ値を検出する（ステップＳＡ２）。引き続き、第１付加機能ブロック６２２が有するＧＰＳ受信機等の測位／位置検出手段より、あるいは現在無線通信している無線基地局２の位置に基づき、現在位置を検出し（ステップＳＡ３）。さらに、前記ステップＳＡ２で検出したセンサデータと、ステップＳＡ３で検出した位置（緯度，経度）データ等をサーバー３に送信する（ステップＳＡ４）。
【００３４】
すなわち、図８に示すように、各センサ付携帯電話端末６は所定時間毎に、「ＳＩＤ（端末ＩＤ）」「会員Ｎｏ．」、現在通信している無線基地局の「無線基地局ＣＳＩＤ」「位置」データ、「センサ」データからなる送信データＤ１を、無線基地局２及び移動体通信網１を介してサーバー３に送信する。
【００３５】
すると、サーバー３は図７（Ｂ）のフローチャートに示すように動作し、これらセンサデータや位置データ等からなる送信データＤ１を受信する（ステップＳＢ１）。しかる後にサーバー３は、端末位置情報ＤＢデータ記憶・更新処理を行い（ステップＳＢ２）、図６（ａ）に示したように、端末位置情報ＤＢ３７に、今回受信した端末ＩＤ（ＳＩＤ）「０９０２２２２３３３３」、無線基地局ＣＳＩＤ「０１２」、端末位置情報「（７０，１０）」を書き込んでこれを更新する。
【００３６】
さらに、センサ計測情報ＤＢデータ記憶・更新処理を行い（ステップＳＢ３）、図６（ｂ）に示したように、センサ計測情報ＤＢ３６に、今回受信した会員Ｎｏ．「０００９９９」、端末ＩＤ「０９０２２２２３３３３」及びセンサデータ「２２．５ｐｐｍ」を書き込むとともに、加入者情報ＤＢ３１（図４参照）に記憶されている会員情報「ヤマダタロウ」等も書き込んでこれを更新する。
【００３７】
次に、データ集計処理を行い（ステップＳＢ４）、図６（ｃ）に示したように、今回受信した端末位置「（７０，１０）」に対応する地域「地域Ｄ（Ｄは地域名称）」、端末位置「（７０，１０）」、会員Ｎｏ．「０００９９９」、センサデータ「２２．５ｐｐｍ」等を加えて集計データＤ２を更新する。引き続き、表示データ生成処理を行い（ステップＳＢ５）、図６（ｄ）に示したように、前記集計データＤ２に基づき、携帯電話端末６、８の表示部６０３に表示させるための表示データＤ３を生成する。
【００３８】
そして、携帯電話端末６、８（又はパソコン１０）から、表示データの送信要求があったか否かを判断し（ステップＳＢ６）、ない場合にはステップＳＢ１からの処理を繰り返す。また、表示データの送信要求があった場合には、この要求と共に送信されてきたユーザー情報と加入者情報ＤＢ３１に記憶されている情報に基づき、本サービスの加入者であるか否かを判断する（ステップＳＢ７）。そして、加入者である場合には、前記表示データＤ３を送信する（ステップＳＢ８）。
【００３９】
また、携帯電話端末６、８（又はパソコン１０）は、図７（Ｃ）に示すフローチャートに従って動作し、ユーザーによる受信指示の有無を判断する（ステップＳＣ１）。そして、ユーザーによる受信指示があると、サーバー３に送信要求をユーザー情報とともに送信する（ステップＳＣ２）。すると、サーバー３は、前述のようにステップＳＢ６及びステップＳＢ７の判断を行って、当該ユーザが加入者であれば、ステップＳＢ８で表示データＤ３を送信してくる。したがって、送信要求を行った携帯電話端末６、８は、このサーバー３から送信されてくる表示データＤ３を受信して（ステップＳＣ３）、表示部６０３に表示させる（ステップＳＣ４）。これにより、表示部６０３には、図６（ｄ）に示した表示データＤ３が表示されることとなる。
【００４０】
なお、表示データＤ３としては、図６（ｄ）に示したものに限らず、図９（ａ）に示すように携帯電話端末のアイコンとともに、センサ計測データを地域名やサービスエリア、緯度・経度、距離等と合わせて表示するものであったり、同図（ｂ）に示すように、センサ計測データ値により地域の色分けや濃淡階調を付けた表示するものであったり、同図（ｃ）に示すように、センサ計測データ値をグラフで地図や地理情報を合わせて表示するものであったり、同図（ｄ）に示すように、絵記号やアイコンで道路や、建物、番地と合わせて表示するものである等、他の表示形態で表示し得るものであってもよい。
【００４１】
また、前述のように、センサユニット７１９を交換することにより、外部接続センサ装置７のセンサ機能を自在に変化させることが可能であることから、外部接続センサ装置７が速度検出機能を有する者とした場合には、図１０に示すように、道路や街区で移動速度を矢印やベクトルで表示するようにすることもできる。
【００４２】
（第２の実施の形態）
図１１は、本発明の第２実施の形態にかかる環境情報供給システムを示すものである。この第２の実施の形態に係る環境情報供給システムは、図１に示した構成に、無線基地局２と通信可能な携帯電話端末６０と、この携帯電話端末６０と近接無線通信する無線送受信型接続センサ７０とを加えて構成されている。
【００４３】
なお、サーバー３は、センサ計測集計／分析ソフト３６３等に基づいて動作するコンピュータであって、前述した第１の実施の形態と同様の加入者情報ＤＢ３１、課金情報ＤＢ３２、会員情報ＤＢ３３、提供情報コンテンツＤＢ３４、地図情報ＤＢ３５、（花粉など）センサ計測情報ＤＢ３６、端末位置情報ＤＢ３７が接続されているのみならず、端末地域毎の花粉量などの集計結果ＨＴＭＬ文書ＤＢ３６２が接続されている。
【００４４】
図１２は、本発明の第２実施の形態において加えられた携帯電話端末６０と無線送受信型接続センサ７０の回路構成を示すブロック図である。無線送受信型接続センサ７０は、入出力インターフェース７１８に接続されたＢＴ（Ｂｌｕｅｔｏｏｔｈ）など／無線リンク部７５０、及びこのＢＴ／無線リンク部７５０に接続されたアンテナ７５１を有する点において、図３に示した第１の実施の形態における外部接続センサ装置７と異なり、他の構成は外部接続センサ装置７と同一構成であるので、同一部分に同一符号を付して説明を省略する。
【００４５】
一方、携帯電話端末６０のレセプタクル６０５には、コネクタ７０２により無線リンクユニット７５２が接続されており、この無線リンクユニット７５２は、ベースバンド制御部７５３、ＲＦ／送受信部７５４及びアンテナ７５５を有し、前記無線送受信型接続センサ７０に近接無線接続されている。
【００４６】
また、携帯電話端末６０は、無線リンクユニット７５２と無線送受信型接続センサ７０との間で近接無線を行うべく無線リンクソフトに従って動作する第５付加機能ブロック６５０が追加された点以外は、図３に示した第１の実施の形態におけるセンサ付携帯電話端末６の電話端末本体６０１と同一構成であるので、同一部分に同一符号を付して説明を省略する。
【００４７】
なお、この実施の形態においては、センサユニット７１９は花粉センサ機能を有するものであり、センサ７０３は花粉センサである。この花粉センサは、ファンにより一定流量の大気をセンサ内に強制的に取り込み、この取り込んだ空気の流れの途中にレーザ光線を走らせ、花粉がそこを横切ると、レーザ光が散乱され、この散乱光をフォトダイオードで電気信号に変換して散乱光の数を測定して、花粉の量を検出するものである。
【００４８】
この実施の形態においてユーザーは、センサ付携帯電話端末６又は携帯電話端末６０と無線送受信型接続センサ７０を携帯する。すると、空気中に浮遊する花粉の量がデータが無線送受信型接続センサ７０で受信された後、携帯電話端末６０送信されて受信される。そして、携帯電話端末６０は前述の図７（Ａ）及び（Ｃ）に示したフローチャートに従って処理を実行し、サーバー３は図７（Ｂ）に示したフローチャートに従って処理を実行する。これにより、図１３（ａ）（ｂ）（ｃ）に示したような花粉の量に基づく表示データＤ３がサーバー３によって生成され、サーバー３から情報要求を行ったセンサ付携帯電話端末６又は携帯電話端末６０に送信され、センサ付携帯電話端末６又は携帯電話端末６０において表示データＤ３を表示部６０３に表示させることが可能となる。
【００４９】
なお、携帯電話端末６０と無線送受信型接続センサ７０との無線リンクは、Ｂｌｕｅｔｏｏｔｈなどの近接無線リンク手段、あるいは赤外線や電磁誘導、電磁結合、微弱電波や特定小電力無線、あるいは、ＰＨＳや携帯電話の移動体通信網、無線ＬＡＮ等で構成してもよい。
【００５０】
【発明の効果】
【００５１】
以上説明したように本発明に係る環境情報供給システムによれば、協力者の外出先において送信装置により現在位置と周囲の環境状態とが検出されて情報管理装置に送信され、情報管理装置により当該位置における環境状態を示す位置環境情報が生成されて送信され、受信装置により情報管理装置から送信される位置環境情報が受信されて表示されることから、この受信装置のユーザーにおいて、前記協力者の外出先における現在位置の環境情報である緻密な環境情報を容易に得ることが可能となる。
【００５２】
また、送信装置が複数であることにより、複数の協力者の外出先における現在位置の環境情報を容易に得ることができ、所定時間毎に検出がなされることにより、所定時間毎の緻密な環境情報を容易に得ることができる。また、送信装置と受信装置とが一体であることにより、前記協力者同士が相互に緻密な環境情報を容易に得ることができる。
【図面の簡単な説明】
【図１】本発明の第１の実施の形態を示すシステム構成図である。
【図２】センサ付携帯電話端末の外部構成を示す平面図である。
【図３】センサ付携帯電話端末の回路構成を示すブロック図である。
【図４】加入者情報ＤＢのメモリ構成図である。
【図５】課金情報ＤＢのメモリ構成図である。
【図６】端末位置情報ＤＢとセンサ計測情報ＤＢのメモリ構成、及びデータ生成過程を示す図である。
【図７】第１の実施の形態における処理手順を示すフローチャートである。
【図８】送信データの内容を示す説明図である。
【図９】表示データの例を示す図である。
【図１０】表示データの他の例を示す図である。
【図１１】本発明の第２の実施の形態を示すシステム構成図である。
【図１２】同実施の形態において加えられた携帯電話端末と無線送受信型接続センサの回路構成を示すブロック図である。
【図１３】同実施の形態における表示データの例を示す図である。
【符号の説明】
１    移動体通信網
２    無線基地局
３    サーバー
５    インターネット
６    センサ付携帯電話端末
７    外部接続センサ装置
８    一般電話端末
３１    加入者情報ＤＢ
３２    課金情報ＤＢ
３３    会員情報ＤＢ
３４    提供情報コンテンツＤＢ
３５    地図情報ＤＢ
３６    センサ計測情報ＤＢ
３７    端末位置情報ＤＢ
３８    センサ計測情報ＤＢ
６０    携帯電話端末
７０    無線送受信型接続センサ
【図１】
2004303125.tif 000003
【図２】
2004303125.tif 000004
【図３】
2004303125.tif 000005
【図４】
2004303125.tif 000006
【図５】
2004303125.tif 000007
【図６】
2004303125.tif 000008
【図７】
2004303125.tif 000009
【図８】
2004303125.tif 000010
【図９】
2004303125.tif 000011
【図１０】
2004303125.tif 000012
【図１１】
2004303125.tif 000013
【図１２】
2004303125.tif 000014
【図１３】
2004303125.tif 000015